(57)【特許請求の範囲】
【請求項１】
各種情報をパケット信号として送信する複数の端末装置と、
当該端末装置から送信されるパケット信号を多重化して送信する通信網と、
当該通信網にて多重化されたパケット信号を受信すると当該パケット信号をもとに各種情報を出力する通信制御装置と、
当該通信制御装置からの各種情報が入力すると少なくとも当該入力情報を報知する監視装置
とを有する監視システムにおいて、
前記通信制御装置は、
端末装置との間の通信回線が切断されたときに当該通信回線を識別するための論理チャネル番号を含む切断指示信号を出力する複数の多重化手段と、
各多重化手段に対応して１または複数の論理チャネル番号を予め記憶し、多重化手段から切断指示信号が入力してから所定時間以内に当該多重化手段に対応して記憶している全ての論理チャネル番号について各論理チャネル番号を含む切断指示信号が入力したときは、通信網と当該多重化手段の間の通信回線に異常が発生したと判断し、当該多重化手段を識別するための回線番号を含む断線警報を監視装置へ出力し、多重化手段から切断指示信号が入力してから所定時間以内に当該多重化手段に対応して記憶している全ての論理チャンネル番号について各論理番号を含む切断指示信号が入力していなければ、端末装置と通信網の間の通信回線に異常が発生したと判断し、当該端末装置の識別番号を含む断線警報を監視装置へ出力する通信制御部とを有し、
前記監視装置は、
当該通信制御部からの断線警報が入力すると少なくとも当該断線警報に含まれる回線番号を報知する
ことを特徴とする監視システム。
【請求項２】
前記通信制御部は、通信網と多重化手段の間の通信回線に異常が発生したと判断した場合は、当該多重化手段に対応して記憶している全ての論理チャネル番号が付与された通信回線の開放動作を行った後、当該多重化手段に対応して記憶している全ての論理チャネル番号が付与された通信回線の接続動作を行うことを特徴とする請求項１記載の監視システム。
【請求項３】
前記通信制御部は、多重化手段に対応して記憶している全ての論理チャネル番号が付与された通信回線の接続動作を行った結果、少なくとも１つの通信回線が接続されると、当該多重化手段を識別するための回線番号を含む復旧信号を監視装置へ出力し、
前記監視装置は、当該通信制御部からの復旧信号が入力すると少なくとも当該復旧信号に含まれる回線番号を報知する
ことを特徴とする請求項２記載の監視システム。
【請求項４】
前記通信制御部は、
各論理チャネル番号に対応する端末装置の識別情報を予め記憶し、
多重化手段に対応して記憶している全ての論理チャネル番号が付与された通信回線の接続動作を所定回数行った結果、少なくとも１つの通信回線が接続できなかった場合は、接続できなかった論理チャネル番号に対応する端末装置の識別情報を含む断線警報を監視装置へ出力し、
前記監視装置は、当該通信制御部からの断線警報が入力すると少なくとも当該断線警報に含まれる識別情報を報知する
ことを特徴とする請求項２または３記載の監視システム。
【発明の詳細な説明】
【０００１】
【発明の属する技術分野】
本発明は監視システムに関し、特に、複数の端末装置からの信号を多重化して１台の監視装置にて受信する監視システムに関するものである。
【０００２】
【従来の技術】
例えば、図４に示す従来の監視システムは、監視区域にセンサ（図示せず）を配置し、このセンサにより監視区域内で発生する火災や侵入等の異常が検出されると、端末装置１１〜１５より通信網（例えばＩＳＤＮ網）に対して警報が送信される。
【０００３】
各端末装置１１〜１５は、端末装置１１，１２は回線接続装置３１と、端末装置１３，１４は回線接続装置３２と、また、端末装置１５は回線接続装置３３とそれぞれ常時パケット多重接続されている。
【０００４】
各端末装置１１〜１５から送信された警報は、ＩＳＤＮ網にて多重化され、回線接続装置３１〜３３および通信制御装置４を介して監視装置５へ送信される。監視装置では、各端末装置１１〜１５からの警報を受信すると、報知装置６（例えばモニタ）により監視センタにいる監視員に異常の発生を報知する。
【０００５】
このように、上記従来の監視システムでは、通信網と監視装置間の通信回線を多重化することで、監視装置側に多くの通信回線を敷設することなく、複数の端末装置からの警報を受信できるようにしている。
【０００６】
【発明が解決しようとする課題】
上記従来の監視システムにおいて、通常、通信制御装置４は、端末装置１１〜１５との間に設定された通信パスが切断されると、当該端末装置との通信パスが切断されたことを示す断線警報を監視装置５へ出力する。この断線警報が入力した監視装置５は、報知装置６であるモニタにより監視センタにいる監視員に当該端末装置との通信パスが切断されたことを報知する。
【０００７】
しかしながら、例えば、回線接続装置３１が故障する、あるいは、通信制御装置４と回線接続装置３１と通信網との間のいずれかの通信回線に異常が発生した場合、回線接続装置３１に接続された全ての端末装置１１，１２との間に設定された通信パスが切断される。
【０００８】
この場合、監視装置５は、回線接続装置３１に接続された全ての端末装置１１，１２との間の通信回線が切断されたものと判断し、端末装置１１，１２毎の回線の切断がモニタに表示され、個別に報知される。
【０００９】
このため、各回線接続装置に接続されている端末装置の数が増えた場合、回線接続装置３１に接続されていた各端末装置との通信パスの切断を報知装置６であるモニタに全て表示すると、他の回線接続装置３２，３３に接続されている端末装置１３〜１５から火災や侵入等の緊急性の高い警報を受信しても、モニタに表示することができず、警報の受信を確実に報知することができないという問題があった。
【００１０】
本発明は、上記の点に鑑みなされたもので、多重化された監視装置側の通信回線に何らかの異常が発生した場合に、必要最小限の警報の表示のみを行うことにより、緊急性の高い火災や侵入等に関する警報の発見が遅れるのを防ぐとともに、通信回線を自動的に復旧させることで、信頼性の高い監視システムを提供することを目的とする。
【００１１】
【課題を解決するための手段】
上記課題を解決するため、請求項１に記載の発明は、各種情報をパケット信号として送信する複数の端末装置と、
当該端末装置から送信されるパケット信号を多重化して送信する通信網と、
当該通信網にて多重化されたパケット信号を受信すると当該パケット信号をもとに各種情報を出力する通信制御装置と、
当該通信制御装置からの各種情報が入力すると少なくとも当該入力情報を報知する監視装置
とを有する監視システムにおいて、
前記通信制御装置は、
端末装置との間の通信回線が切断されたときに当該通信回線を識別するための論理チャネル番号を含む切断指示信号を出力する複数の多重化手段と、
各多重化手段に対応して１または複数の論理チャネル番号を予め記憶し、多重化手段から切断指示信号が入力してから所定時間以内に当該多重化手段に対応して記憶している全ての論理チャネル番号について各論理チャネル番号を含む切断指示信号が入力したときは、通信網と当該多重化手段の間の通信回線に異常が発生したと判断し、当該多重化手段を識別するための回線番号を含む断線警報を監視装置へ出力する通信制御部
とを有し、
前記監視装置は、当該通信制御部からの断線警報が入力すると少なくとも当該断線警報に含まれる回線番号を報知する
ことを特徴としている。
【００１２】
また、請求項２に記載の発明は、上記請求項１に記載の監視システムにおいて、
前記通信制御部は、通信網と多重化手段の間の通信回線に異常が発生したと判断した場合は、当該多重化手段に対応して記憶している全ての論理チャネル番号が付与された通信回線の開放動作を行った後、当該多重化手段に対応して記憶している全ての論理チャネル番号が付与された通信回線の接続動作を行うことを特徴としている。
【００１３】
さらに、請求項３に記載の発明は、上記請求項２に記載の監視システムにおいて、前記通信制御部は、多重化手段に対応して記憶している全ての論理チャネル番号が付与された通信回線の接続動作を行った結果、少なくとも１つの通信回線が接続されると、当該多重化手段を識別するための回線番号を含む復旧信号を監視装置へ出力し、
前記監視装置は、当該通信制御部からの復旧信号が入力すると少なくとも当該復旧信号に含まれる回線番号を報知する
ことを特徴としている。
【００１４】
加えて、請求項４に記載の発明は、上記請求項２または３に記載の監視システムにおいて、前記通信制御部は、
各論理チャネル番号に対応する端末装置の識別情報を予め記憶し、
多重化手段に対応して記憶している全ての論理チャネル番号が付与された通信回線の接続動作を所定回数行った結果、少なくとも１つの通信回線が接続できなかった場合は、接続できなかった論理チャネル番号に対応する端末装置の識別情報を含む断線警報を監視装置へ出力し、
前記監視装置は、当該通信制御部からの断線警報が入力すると少なくとも当該断線警報に含まれる識別情報を報知する
ことを特徴としている。
【００１５】
本発明によれば、通信網と通信制御装置の多重化手段との間で通信回線に異常が発生した場合、この異常を当該通信回線の異常として判断し、当該通信回線に接続される端末装置の全てからの警報として扱うことによる不都合を排除することを可能とする。
【００１６】
また、通信網と通信制御装置のとの間で通信回線に異常が発生した場合、当該多重化手段に対応して記憶された論理チャンネル番号が付与された全ての通信回線を開放し、再接続することにより通信回線を自動修復させることが可能となる。
【００１７】
また、再接続の結果、少なくとも１つの通信回線が接続されたとき、監視装置に回線番号を含む復旧信号を出力させることにより通信回線の復旧の状態を監視装置側で把握することが可能となる。
【００１８】
また、接続動作を行った結果、少なくとも１つの通信回線が接続できなかった場合は、通信制御部より監視装置に接続できなかった論理チャンネル番号に対応する端末装置の識別情報を含む断線警報を報知するようにすることにより、特定端末の通信回線の異常を把握することを可能とする。
【００１９】
【発明の実施の形態】
以下、本願発明の通信制御装置を用いた監視システムの実施の形態について、図面を用いて説明する。
【００２０】
〈構  成〉
図１に本発明の通信制御装置を用いた監視システムのブロック図を示す。同図中、端末装置１１〜１ｎは、監視区域に配置され、監視区域内の人の存在や火災の発生等を検出したときにセンサ（図示せず）から出力される検出信号が入力すると、動作モードが警備モードであった場合は、検出信号に応じた異常の種類を示す情報と端末装置１１〜１ｎの識別情報を含む警報に、信号種別情報や論理チャネル番号、送信順序番号等の信号の送信に必要な情報を含むヘッダを付加した警報パケットをＩＳＤＮ網２に送信する。
【００２１】
ＩＳＤＮ網２は、空き回線を利用して、回線接続装置３１〜３１ｎからの受信信号を端末装置１１〜１ｎに送信し、また、端末装置１１〜１ｎからの受信信号を回線接続装置３１〜３ｎに送信する。なお、各受信信号を相手方に送信する場合、ヘッダに含まれる送信順序番号に基づき信号を並べ換えた後、相手方に送信する。また、端末装置１１〜１ｎと回線接続装置３１〜３ｎとの間の通信回線に異常が発生すると、端末装置１１〜１ｎと回線接続装置３１〜３ｎに対し通信ができなくなった理由（切断理由）および切断された通信回線の論理チャネル番号などの情報を含む切断指示パケットを送信する。
【００２２】
回線接続装置３１〜３ｎは、ＩＳＤＮ網と警備会社の監視センタ等の配線の分岐点であり、警備会社等の監視センタに設置され、通信制御装置４を構成する多重化手段４１１〜４１ｎからの入力信号をＩＳＤＮ網２に送信し、ＩＳＤＮ網２からの受信信号を通信制御装置４を構成する多重化手段４１１〜４１ｎに供給する。
【００２３】
通信制御装置４は、警備会社等の監視センタに配置され、多重化手段４１１〜４１ｎ、タイマ４２、カウンタ４３、記憶部４４、通信制御部４５とから構成されている。
【００２４】
多重化手段４１１〜４１ｎは、通信制御部４５からの信号が入力すると、信号種別情報や論理チャネル番号、送信順序番号等の信号の送信に必要な情報を含むヘッダを付加し、当該入力信号を回線接続装置３１〜３ｎに供給する。また、回線接続装置３１〜３ｎからの警報パケットが入力すると、当該警報パケットに含まれる警報を通信制御部４５へ出力する。さらに、回線接続装置３１〜３ｎからの切断指示パケットが入力すると、切断された通信回線を識別するための論理チャンネル番号を含む切断指示信号を通信制御部４５に出力する。
【００２５】
タイマ４２は、通信制御部４５からの起動信号が入力すると起動し、所定時間計時を行うと通信制御部４５に計時終了信号を出力する。また、通信制御部４５からのリセット信号が入力すると、計時を中止しリセットする。
【００２６】
カウンタ４３は、通信制御部４５からのカウント信号が入力すると、記憶しているカウント値に１を加算し、リセット信号が入力すると、カウント値を初期値（ここでは０とする）へリセットする。
【００２７】
記憶部４４は、予め端末装置１１〜１ｎ毎の回線情報（端末装置１１〜１ｎ毎に予め付与されている識別情報や多重化手段４１１〜４１ｎごとに予め付与された回線番号、電話番号、回線の接続状態等）を記憶している。
【００２８】
通信制御部４５は、多重化手段４１１〜４１ｎからの警報が入力すると、当該警報を監視装置５へ出力する。
【００２９】
また、多重化手段４１１〜４１ｎからの切断指示信号が入力するとタイマ４２に起動信号を出力し、記憶部４４に記憶している回線情報をもとに、当該切断指示信号に含まれる論理チャネル番号に対応する回線番号と同じ回線番号に対応する全ての論理チャネル番号について切断指示信号が入力すると、ＩＳＤＮ網から多重化手段４１１〜４１ｎまでの多重化された通信回線の異常であると判断し、通信回線の異常を示す情報と当該回線番号を含む断線警報を監視装置５へ出力する。そして、記憶部４４に記憶している回線情報をもとに、当該回線番号に対応する全ての端末装置１１〜１ｎとの通信回線の開放動作を行った後、再度当該端末装置１１〜１ｎとの通信回線の接続動作を行う。この結果、少なくとも１つの端末装置との通信回線が接続されると、通信回線が接続されたことを示す情報と当該回線番号を含む復旧信号を監視装置５へ出力する。このとき、通信回線が接続できなかった端末装置がある場合は、カウンタ４３のカウント値が所定値（ここでは２とする）に達していなければ、カウンタ４３にカウント信号を出力するとともに、当該端末装置との通信回線の開放動作を行った後、再度当該端末装置との通信回線の接続動作を行う。カウンタ４３のカウント値が所定値に達していた場合は、回線が接続できていない端末装置の識別情報と回線が接続できなかったことを示す情報を含む断線警報を監視装置５へ出力する。
【００３０】
なお、記憶部４４に記憶している回線情報をもとに、当該切断指示信号に含まれる論理チャネル番号に対応する回線番号と同じ回線番号に対応する全ての論理チャネル番号について切断指示信号が入力していなければ、端末装置１１〜１ｎからＩＳＤＮ網までの通信回線の異常であると判断し、通信回線の異常を示す情報と当該端末装置の識別番号を含む断線警報を監視装置５へ出力する。そして、記憶部４４に記憶している回線情報をもとに、当該端末装置１１〜１ｎとの通信回線の開放動作を行った後、再度当該端末装置１１〜１ｎとの通信回線の接続動作を行う。この結果、端末装置との通信回線が接続されると、通信回線が接続されたことを示す情報と当該端末装置の識別情報を含む復旧信号を監視装置５へ出力する。このとき、通信回線が接続できなかった場合は、カウンタ４３のカウント値が所定値（ここでは２とする）に達していなければ、カウンタ４３にカウント信号を出力するとともに、当該端末装置との通信回線の開放動作を行った後、再度当該端末装置との通信回線の接続動作を行う。
【００３１】
監視装置５は、警備会社などの監視センタに配置され、制御部５１、記憶部５２から構成されている。
【００３２】
制御部５１は、通信制御装置４の通信制御部４５からの警報が入力すると、当該警報に含まれる端末装置１１〜１ｎの識別情報をもとに記憶部５２に記憶している当該端末装置１１〜１ｎの個別情報を読み込み、当該個別情報と警報に含まれる異常の種類を示す情報を報知装置６に出力する。また、通信制御部４５からの断線警報が入力すると、当該断線警報に含まれる回線番号と通信回線の異常を示す情報を報知装置６に出力する。さらに、通信制御部４５からの復旧信号が入力すると、当該復旧信号に含まれる回線番号と通信回線が接続されたことを示す情報を報知装置６に出力する。
【００３３】
記憶部５２は、予め監視区域の個別情報（端末装置１１〜１ｎ毎予め付与されている識別情報や名称、住所、電話番号、地図情報など）を記憶している。
【００３４】
報知装置６は、監視装置５の制御部５２から警報の種類や通信回線の異常または接続を示す情報、個別情報、回線番号が供給されると当該入力信号を音声や表示等により報知する。
【００３５】
〈動  作〉
次に、図１に示した監視システムの動作について、図２，３の動作フローチャートにしたがって説明する。なお、図２は通信制御装置４の動作フローチャートであり、図３は監視装置５の動作フローチャートである。
１．監視区域内の異常検出
例えば侵入者により監視区域の窓が開けられると、この窓の開放をセンサが検出してセンサから端末装置１１〜１ｎに対して検出信号が出力される。端末装置３１〜３ｎは、センサからの検出信号が入力し、かつ、動作モードが警備モードであった場合は当該検出信号に基づき異常の種類を示す情報と端末装置３１〜３ｎ毎に予め付与されている識別情報を含む警報に、論理チャネル番号やデータの送信順序番号等のデータの転送に必要な情報を含むヘッダを付した警報パケットをＩＳＤＮ網２に送信する。
【００３６】
ＩＳＤＮ網２は、警報パケットを受信すると、ヘッダに含まれる論理チャネル番号をもとに送信先である通信制御装置４の多重化手段４１１〜４１ｎに対応する回線接続装置３１〜３ｎに対して当該警報パケットを送信する。
【００３７】
回線接続装置３１〜３ｎは、ＩＳＤＮ網からの警報パケットを受信すると、当該警報パケットを通信制御装置４の多重化手段４１１〜４１ｎに出力する。
【００３８】
通信制御装置４の多重化手段４１１〜４１ｎは、この警報パケットが供給されると、当該警報パケットに含まれる警報を通信制御部４５に対して出力する。
【００３９】
通信制御部４５は、多重化手段４１１〜４１ｎからの警報が入力すると、当該警報を監視装置５に出力する。
【００４０】
監視装置５の制御部５１は、通信制御装置４の通信制御部４５からの警報が入力すると、当該警報に含まれる端末装置１１〜１ｎの識別情報をもとに、記憶部５２に記憶している当該端末装置１１〜１ｎの個別情報を読み込み、この読み込んだ個別情報と受信した警報に含まれる異常の種類を示す情報を報知装置６に出力する。
【００４１】
報知装置６は、監視装置５の制御部５１から出力される端末装置１１〜１ｎの個別情報および異常の種類を示す情報が入力すると、当該端末装置１１〜１ｎの個別情報（住所や電話番号等）とともに異常の種類等を音声や文字により監視センタの監視員に報知する。
２．回線の切断検出（端末側回線の切断）
端末装置１１〜１ｎが故障したり、ＩＳＤＮ網を構成する交換機あるいは交換機どうしを接続している通信回線が通信パスの設定後、何らかの理由により切断された場合、ＩＳＤＮ網２は、監視センタに設置した回線接続装置３１〜３ｎに対して通信ができなくなった理由（切断理由）とその端末装置１１〜１ｎの論理チャネル番号を含む切断指示パケットを送信する。
【００４２】
例えば、端末装置１１とＩＳＤＮ網２との間の通信回線に異常が発生し、この通信パスが切断された場合、当該端末装置１１との通信パスが設定されている回線接続装置（ここでは、回線接続装置３１とする）に対し、ＩＳＤＮ網２から切断理由と当該端末装置１１の論理チャネル番号を含む切断指示パケットが送信される。
【００４３】
回線接続装置３１は、この切断指示パケットを受信すると、当該切断指示パケットを通信制御装置４の多重化手段４１１に出力する。
【００４４】
多重化手段４１１は、回線接続装置３１からの切断指示パケットが入力すると（Ｓ１０１）、当該切断指示パケットに含まれる切断理由と端末装置１１の論理チャネル番号を含む切断指示信号を通信制御部４５に出力する。
【００４５】
通信制御装置４の通信制御部４５は、多重化手段４１１からの切断指示信号が入力すると、タイマ４２に起動信号を出力するとともに（Ｓ１０２）、新たな切断指示信号の入力があるか否かを判断する。このとき、新たな切断指示信号が入力した場合は、先に入力した切断指示信号に含まれる論理チャネル番号をもとに記憶部４４に記憶してい当該端末装置３１の回線情報を読み込み、この読み込んだ回線情報に含まれる回線番号と同じ回線番号を有する全ての端末装置からの切断指示信号を受信したか否かを判断する（Ｓ１０３）。
【００４６】
タイマ４２は、通信制御部４５からの起動信号が入力すると起動し、所定時間（ここでは１０秒とする）計時を行い、１０秒間経過すると、通信制御部４５に対し、計時終了信号を出力する。
【００４７】
通信制御装置４の通信制御部４５は、ステップ１０３において、新たな切断指示信号の入力がない、あるいは、同じ回線番号を有する全ての端末装置からの切断指示信号が入力していない場合、タイマ４２からの計時終了が入力すると（Ｓ１２０）、当該切断指示信号に含まれる論理チャネル番号をもとに、記憶部４４に記憶している当該端末装置１１の回線情報を読み込み、この読み込んだ回線情報に含まれる当該端末装置１１の識別情報と切断指示信号に含まれる切断理由を含む断線警報を監視装置５の制御部５１に出力する（Ｓ１２１）。また、多重化手段４１１を介して回線接続装置３１に対して回線の開放動作を開始することを示す切断確認パケットを出力し、通信パスの開放動作を行う（Ｓ１２２）。
【００４８】
監視装置５の制御部５２は、断線警報が入力すると（Ｓ２０１）、当該断線警報に含まれる端末装置１１の識別情報をもとに、記憶部５２に記憶している当該端末装置１１の個別情報を読み込み、この読み込んだ個別情報と供給された切断理由を報知装置６に出力する（Ｓ２０３）。
【００４９】
報知装置６は、端末装置１１の個別情報および断線理由が供給されると、監視区域の住所や電話番号等の個別情報とともに端末装置１１との通信回線に異常が発生したこと等を音声や文字により監視センタの監視員に報知する。
【００５０】
通信制御装置４の通信制御部４５は、ステップ１２２において通信パスの開放動作が終了すると、当該端末装置１１との通信パス設定の復旧（通信回線の接続）動作を行う（Ｓ１２３）。
【００５１】
通信制御装置４の通信制御部４５は、端末装置１１との通信パスの設定を開始させるために、多重化手段４１１へ接続指令信号を出力する。以下に通信パスの設定手順について説明する。
【００５２】
多重化手段４１１は、通信制御部４５からの接続指令信号が入力すると、まず、パケット通信における加入者プロトコルを規定するＣＣＩＴＴ勧告Ｑ．９３１に基づき、回線接続装置３１に呼設定のためのＤチャネル情報である通信パス設定パケットを供給する。この場合、この通信パス設定パケットのレイヤ２におけるＳＡＰＩには、通信パス設定後実施したいデータ通信モードがＣＣＩＴＴ勧告Ｘ．２５に基づいたＤチャネルパケット通信であることを示す「１６」が設定されている。
【００５３】
回線接続装置３１は、多重化手段４１１からの通信パス設定パケットを通信回線を介してＩＳＤＮ網２に送信する。ＩＳＤＮ網２は、この通信パス設定パケットを受信すると、レイヤ２を終端するとともに、受信した通信パス設定パケットのＳＡＰＩを確認し、ＳＡＰＩ＝１６であることから、要求されているデータ通信モードがＤチャネルパケット通信モードであると判断するとともに、通信パス設定パケットを受信したことを示す設定確認パケットを回線接続装置３１に返送する。回線接続装置３１は、受信した設定確認パケットを通信制御装置４の多重化手段４１１に供給する。
【００５４】
通信制御装置４の多重化手段４１１は、回線接続装置３１からの設定確認パケットが入力すると、回線接続装置３１との間に通信パスが設定されたと判断し、端末装置１１の電話番号を含むヘッダを付した発呼要求パケットを回線接続装置３１に出力する。回線接続装置３１は、通信制御装置４からの発呼要求パケットが供給されると、当該発呼要求パケットを通信回線を介してＩＳＤＮ網２に送信する。ＩＳＤＮ網２は、回線接続装置３１からの発呼要求パケットを受信すると、ヘッダに含まれる電話番号により指定された端末装置１１を認識し、当該端末装置１１に対して呼設定パケットを送信する。端末装置１１は、ＩＳＤＮ網２からの呼設定を受信すると、通信パスの設定が可能であることを示す応答パケット介してＩＳＤＮ網２に供給する。ＩＳＤＮ網２は、端末装置３１からの応答パケットを受信すると、使用チャネルをＤチャネル、および、通信モード設定をパケットモードにそれぞれ設定する通信パス設定パケットを端末装置１１に返送する。
【００５５】
端末装置１１は、ＩＳＤＮ網２からの通信パス設定パケットを受信すると、データ通信モードをＤチャネルパケット通信モードとするとともに通信パス設定を受信したことを示す設定確認パケットをＩＳＤＮ網２に送信する。ＩＳＤＮ網２は、端末装置１１からの設定確認パケットを受信すると、端末装置１１との間に、通信パスが設定されたと判断し、端末装置１１に着呼パケットを送信する。
【００５６】
端末装置１１は、ＩＳＤＮ網２からの着呼パケットが供給されると、この着呼パケットを受付けたことを示す着呼受付パケットをＩＳＤＮ網２へ送信する。
【００５７】
ＩＳＤＮ網２は、端末装置３１からの着呼受付パケットを受信すると、回線接続装置３１を介して通信制御装置４に端末装置１１との間の通信パスが設定されたことを示す着呼完了パケットを送信する。これにより、端末装置１１と通信制御装置４との間にパケット通信パスが設定される。
【００５８】
多重化手段４１１は、回線接続装置からの着呼完了パケットが入力すると（Ｓ１２４）、通信制御部４５に対し着呼完了信号を出力する。
【００５９】
通信制御装置４の通信制御部４５は、多重化手段４１１からの着呼完了信号が入力すると、端末装置１１との間のパケット通信パスが改めて設定（復旧）され、監視可能な状態になったと判断し、この状態を維持する。そして、記憶部４４に記憶している当該端末装置３１の回線情報を読み込み、この読み込んだ回線情報に含まれる当該端末装置３１の識別情報と当該端末装置３１との通信パスが復旧（接続）したことを示す情報を含む復旧信号を監視装置５の制御部５１に出力する（Ｓ１３０）。また、タイマ４２およびカウンタ４３に対してリセット信号を出力する（Ｓ１３１）。タイマ４２およびカウンタ４３は、通信制御部４５からのリセット信号が入力するとリセットする。
【００６０】
監視装置５の制御部５１は、通信制御装置４の通信制御部４５からの復旧信号が入力すると（Ｓ２０５）、当該復旧信号に含まれる端末装置３１の識別情報をもとに、記憶部５２に記憶している当該端末装置３１の個別情報を読み込み、この読み込んだ個別情報と当該端末装置３１との通信パスが設定されたことを示す情報を報知装置６に出力する（Ｓ２０６）。
【００６１】
報知装置６は、端末装置３１の個別情報および端末装置３１との通信パスが設定されたことを示す情報が供給されると、監視区域の住所や電話番号等の個別情報とともに端末装置３１との通信パスが設定されたこと等を音声や文字により監視センタの監視員に報知する。
【００６２】
なお、ステップ１２３において回線接続動作を行った結果、何らかの理由により端末装置１１との通信回線が接続できなかった（パケット通信パスの設定ができなかった）場合、ＩＳＤＮ網２より、回線接続装置３１に対して切断理由とその端末装置１１の論理チャネル番号を含む切断指示パケットが送信される。回線接続装置３１は、この切断指示パケットを受信すると、当該切断指示パケットを通信制御装置４の多重化手段４１１に出力する。
【００６３】
通信制御装置４の多重化手段４１１は、回線接続装置３１から切断指示パケットが供給されると（Ｓ１２５）、通信制御部４５に対し切断指示信号を出力する。通信制御部４５は、多重化手段４１１からの切断指示信号が入力すると、多重化手段４１１を介して回線接続装置３１に対して通信パスの開放動作を開始することを示す切断確認パケットを出力し、通信パスの開放動作を行うとともに（Ｓ１２６）、カウンタ４３にカウント信号を出力する。カウンタ４３は、通信制御部４５からのカウント信号が入力すると、記憶しているカウント値に１を加算する（Ｓ１２７）。
【００６４】
通信制御部４５は、ステップ１２６において通信パスの開放動作が終了すると、カウンタ４３のカウント値が所定値（ここでは２とする）になっているか否かを判断し（Ｓ１２８）、カウント値が２になっていなければ、ステップ１２３へ進み、再度当該端末装置１１との通信パス設定の復旧（通信回線の接続）動作を行う。
【００６５】
なお、通信制御部４５は、ステップ１２８においてカウンタ４３のカウント値が２である、つまり、端末装置１１との通信パスの設定動作を２回行ったが当該端末装置１１との通信パスが設定できなければ、タイマ４２およびカウンタ４３にリセット信号を出力し（Ｓ１２９）、ステップ１０１へ進む。
【００６６】
タイマ４２は、通信制御部４５からのリセット信号が入力すると、リセットする。また、カウンタ４３は、通信制御部４５からのリセット信号が入力すると、カウント値を初期値（ここでは０とする）へ戻す。
【００６７】
以上のように、端末装置１１〜１ｎが故障したり、ＩＳＤＮ網を構成する交換機あるいは交換機どうしを接続している通信回線が通信パスの設定後何らかの理由により切断された場合、通信回線上の故障として把握することができ、また、故障した端末や断線した通信回線を特定することができる。
３．回線の切断検出（センタ側回線の切断）
回線接続装置３１〜３ｎあるいは回線接続装置３１〜３ｎが接続されている交換機が故障したり、ＩＳＤＮ網を構成する交換機と回線接続装置３１〜３ｎあるいは回線接続装置３１〜３ｎと通信制御装置４との間の回線回線が通信パスの設定後、何らかの理由により切断された場合、通信制御装置４の多重化手段４１１〜４１ｎは、通信制御部４５に対して通信ができなくなった理由（切断理由）と当該多重化手段４１１〜４１ｎに接続された端末装置１１〜１ｎの論理チャネル番号を含む切断指示信号を出力する。
【００６８】
例えば、回線接続装置３１とＩＳＤＮ網２との間の通信回線に異常が発生し、この通信パスが切断された場合、当該回線接続装置３１と接続されている多重化手段４１１から通信制御部４５に対し切断理由と当該多重化手段４１１に接続されている端末装置１１、１２の論理チャネル番号を含む切断指示信号が出力される。
【００６９】
通信制御部４５は、多重化手段４１１からの切断指示信号が入力すると（Ｓ１０１）、タイマ４２に起動信号を出力するとともに（Ｓ１０２）、新たな切断指示信号の入力があるか否かを判断する。このとき、新たな切断指示信号が入力した場合は、先に入力した切断指示信号に含まれる論理チャネル番号をもとに記憶部４４に記憶してい当該端末装置３１の回線情報を読み込み、この読み込んだ回線情報に含まれる回線番号と同じ回線番号を有する全ての端末装置からの切断指示信号を受信したか否かを判断する（Ｓ１０３）。
【００７０】
タイマ４２は、通信制御部４５からの起動信号が入力すると起動し、所定時間（ここでは１０秒とする）計時を行い、１０秒間経過すると、通信制御部４５に対し、計時終了信号を出力する。
【００７１】
以上のように、回線接続装置３１〜３ｎあるいは回線接続装置３１〜３ｎが接続されている交換機が故障したり、ＩＳＤＮ網を構成する交換機と回線接続装置３１〜３ｎあるいは回線接続装置３１〜３ｎと通信制御装置４との間の回線が通信パスの設定後、何らかの理由により切断された場合、多重化手段４１１は、通信制御部４５に対して切断理由と当該多重化手段４１１に接続された端末装置１１，１２の論理チャネル番号を含む切断指示信号を論理チャネル番号毎に出力する。つまり、ごく短時間に当該多重化手段４１１に接続された全ての端末装置１１，１２についての切断指示信号が通信制御部４５に入力することになる。
【００７２】
そこで、通信制御装置４の通信制御部４５は、当該切断指示信号に含まれる論理チャネル番号および記憶部４４に記憶している当該論理チャネル番号に対応する回線情報をもとに、同じ回線番号を有する全ての端末装置からの切断指示信号が入力したか否かを判断する。
【００７３】
そして、ステップ１０３において、同じ回線番号を有する全ての端末装置からの切断指示信号が入力していれば、当該切断指示信号に含まれる論理チャネル番号をもとに、記憶部４４に記憶している回線情報のうち、当該論理チャネル番号に対応して記憶している回線番号と切断指示信号に含まれる切断理由を含む断線警報を監視装置５の制御部５１に出力する（Ｓ１０４）。また、多重化手段４１１を介して回線接続装置３１に対して回線の開放動作を開始することを示す切断確認パケットを出力し、多重化手段４１１に接続された全ての端末装置１１，１２との通信パスの開放動作を行う（Ｓ１０５）。
【００７４】
一方、監視装置５の制御部５１は、断線警報が入力すると、当該断線警報に含まれる回線番号と切断理由を報知装置６に出力する。報知装置６は、監視装置５の制御部５１からの回線番号および断線理由が入力すると、当該回線番号および当該回線番号に対応する多重化手段４１１とＩＳＤＮ網との間の通信回線に異常が発生したこと等を音声や文字により監視センタの監視員に報知する。
【００７５】
通信制御装置４の通信制御部４５は、ステップ１０５において通信パスの開放動作が終了すると、当該多重化手段４１１に接続されていた全ての端末装置１１，１２との通信パス設定の復旧（通信回線の接続）動作を行う（Ｓ１０６）。すなわち、多重化手段４１１は、通信制御部４５から端末装置１１，１２との通信パスの設定を開始させるための接続指令信号が入力すると、回線接続装置３１を介してＩＳＤＮ網２に対し通信パス設定パケットを送信し、端末装置１１，１２との通信パスの設定動作を行う。その後、回線接続装置３１を介して端末装置１１または端末装置１２との間の通信パスが設定されたことを示す着呼完了パケットを受信する、つまり、端末装置１１または端末装置１２の少なくとも一方との間にパケット通信パスが設定されると、通信制御部４５に対し着呼完了信号を出力する。
【００７６】
通信制御装置４の通信制御部４５は、多重化手段４１１からの着呼完了信号が入力すると、端末装置１１または端末装置１２との間のパケット通信パスが改めて設定（復旧）され、監視可能な状態になったか否か、すなわち、全端末装置と着呼可能となったか否かの判断が行われ（Ｓ１０７）、監視可能な状態になったと判断されると、この状態を維持するとともに、当該着呼完了信号に含まれる論理チャネル番号をもとに記憶部４４に当該論理チャネル番号に対応して記憶している回線情報を読み込み、この読み込んだ回線情報に含まれる回線番号と当該回線番号に対応する多重化手段４１１に接続されている端末装置１１，１２との通信パスが復旧（接続）したことを示す情報を含む復旧信号を監視装置５の制御部５１に出力する（Ｓ１１２）。
【００７７】
監視装置５の制御部５１は、復旧信号が入力すると（Ｓ２０５）、当該復旧信号に含まれる回線番号と当該回線番号に対応する多重化手段４１１とＩＳＤＮ網との間の通信回線が復旧したことを示す情報を報知装置６に出力する（Ｓ２０６）。報知装置６は、監視装置５の制御部５１からの回線番号および当該回線番号に対応する多重化手段４１１とＩＳＤＮ網との間の通信回線が復旧したことを示す情報が入力すると、これらの情報を音声や文字により監視センタの監視員に報知する。
【００７８】
その後、通信制御装置４の通信制御部４５は、当該着呼完了信号に含まれる論理チャネル番号および記憶部４４に記憶している当該論理チャネル番号に対応する回線情報をもとに、同じ回線番号を有する全ての端末装置からの着呼完了信号が入力したか否かを判断する（Ｓ１１３）。この結果、同じ回線番号を有する全ての端末装置からの着呼完了信号が入力している、つまり、多重化手段４１１に接続された全ての端末装置１１，１２との通信パスが設定されていれば、タイマ４２およびカウンタ４３にリセット信号を出力し（Ｓ１１４）、ステップ１０１へ進む。タイマ４２は、通信制御部４５からのリセット信号が入力すると、リセットする。また、カウンタ４３は、通信制御部４５からのリセット信号が入力すると、カウント値を初期値（ここでは０とする）へ戻す。
【００７９】
なお、ステップ１１３において、当該着呼完了信号に含まれる論理チャネル番号および記憶部４４に記憶している当該論理チャネル番号に対応する回線情報をもとに、同じ回線番号を有する全ての端末装置からの着呼完了信号が入力していなかった場合、ステップ１１５に進み、着呼完了信号が入力しなかった端末装置との通信パスの開放動作を行うとともに、カウンタ４３にカウント信号を出力する（Ｓ１１６）。
【００８０】
次に、ステップ１０６において、例えば、多重化手段４１１に接続された全ての端末装置１１および端末装置１２との通信パスの設定動作を行った結果、端末装置１１との通信パスの設定は行えたが、端末装置１２との通信パスの設定が行えなかった場合は、通信制御装置４の多重化手段４１１に、回線接続装置３１から端末装置１２の論理チャネル番号を含む切断指示パケットが入力する。多重化手段４１１は、切断指示パケットが入力すると、通信制御部４５に対し切断指示信号を出力する。
【００８１】
通信制御部４５は、多重化手段４１１からの切断指示信号が入力すると、多重化手段４１１を介して回線接続装置３１に対して端末装置１２との通信パスの開放動作を開始することを示す切断確認パケットを出力し、通信パスの開放動作を行うとともに、カウンタ４３にカウント信号を出力する（Ｓ１１５）。カウンタ４３は、通信制御部４５からのカウント信号が入力すると、記憶しているカウント値に１を加算する（Ｓ１１６）。
【００８２】
通信制御部４５は、ステップ１１５において端末装置１２との通信パスの開放動作が終了すると、カウンタ４３のカウント値が所定値（ここでは２とする）になっているか否かを判断し（Ｓ１１７）、カウント値が２になっていなければ、ステップ１０６へ進み、再度当該端末装置１２との通信パス設定の復旧（通信回線の接続）動作を行う。
【００８３】
なお、通信制御部４５は、ステップ１１７においてカウンタ４３のカウント値が２である、つまり、端末装置１２との通信パスの設定動作を２回行ったが当該端末装置１２との間の通信パスが設定できなければ、当該切断指示信号に含まれる論理チャネル番号および記憶部４４に記憶している当該論理チャネル番号に対応する回線情報をもとに、当該論理チャネル番号に対応して記憶している端末装置１２の識別情報と切断指示信号に含まれる切断理由を含む断線警報を監視装置５の制御部５１に出力するとともに（Ｓ１１８）、タイマ４２およびカウンタ４３にリセット信号を出力し（Ｓ１１９）、ステップ１０１へ進む。タイマ４２は、通信制御部４５からのリセット信号が入力すると、リセットする。また、カウンタ４３は、通信制御部４５からのリセット信号が入力すると、カウント値を初期値（ここでは０とする）へ戻す。
【００８４】
監視装置５の制御部５２は、断線警報が入力すると（Ｓ２０１）、当該断線警報に含まれる端末装置１２の識別情報をもとに、記憶部５２に記憶している当該端末装置１２の個別情報を読み込み、この読み込んだ個別情報と供給された切断理由を報知装置６に出力する（Ｓ２０４）。報知装置６は、端末装置１２の個別情報および断線理由が供給されると、監視区域の住所や電話番号等の個別情報とともに端末装置１２との通信回線に異常が発生したこと等を音声や文字により監視センタの監視員に報知する。
【００８５】
なお、上述のステップ１０６において、当該多重化手段４１１に接続されていた全ての端末装置１１，１２との通信パス設定の復旧（通信回線の接続）動作を行った結果、全ての端末装置１１，１２との間の通信パスが設定できなかった場合は、通信制御装置４の通信制御部４５は、ステップ１０８に進み、多重化手段４１１に接続されていた全ての端末装置１１，１２との通信パスの開放動作を行うとともに、カウンタ４３にカウント信号を出力する。カウンタ４３は、通信制御部４５からのカウント信号が入力すると、記憶しているカウント値に１を加算する（Ｓ１０９）。
【００８６】
通信制御部４５は、ステップ１０８において多重化手段４１１に接続されていた全ての端末装置１１，１２との通信パスの開放動作が終了すると、カウンタ４３のカウント値が所定値（ここでは２とする）になっているか否かを判断し（Ｓ１１０）、カウント値が２になっていなければ、ステップ１０６へ進み、多重化手段４１１に接続されていた全ての端末装置１１，１２との通信パス設定の復旧（通信回線の接続）動作を行う。
【００８７】
なお、通信制御部４５は、ステップ１１０においてカウンタ４３のカウント値が２である、つまり、多重化手段４１１に接続されていた端末装置１１，１２との通信パスの設定動作を２回行ったがいずれの端末装置１１，１２との間の通信パスが設定できなければ、タイマ４２およびカウンタ４３にリセット信号を出力し（Ｓ１１１）、ステップ１０１へ進む。タイマ４２は、通信制御部４５からのリセット信号が入力すると、リセットする。また、カウンタ４３は、通信制御部４５からのリセット信号が入力すると、カウント値を初期値（ここでは０とする）へ戻す。
【００８８】
以上のように、回線接続装置３１〜３ｎあるいは回線接続装置３１〜３ｎが接続されている交換機が故障したり、ＩＳＤＮ網２を構成する交換機と回線接続装置３１〜３ｎあるいは回線接続装置３１〜３ｎと通信制御装置４との間の回線が通信パスの設定後、何らかの理由により切断された場合であても、これらを通信回線上の異常として把握して断線警報として報知することができ、また、直ちに、通信回線の復旧を行うことができる。これにより、例えば、端末装置からの警報を表示させて監視する監視センタ側では、必要最小限の警報を表示させることが可能となり、また、迅速に通信回線の復旧をおこなうことが可能となる。
【００８９】
【発明の効果】
以上説明した通り、本発明の監視システムによれば、多重化された監視装置側の通信回線に何らかの異常が発生した場合であっても、必要最小限の警報の表示のみを行うことが可能となり、緊急性の高い火災や侵入等に関する警報の発見が遅れるのを防ぐとともに、通信回線を自動的に復旧させることで、信頼性の高い監視システムを提供することができる。
【図面の簡単な説明】
【図１】本願の監視システムのブロック図である。
【図２】通信制御装置４の動作フローチャートである。
【図３】監視装置５の動作フローチャートである。
【図４】従来の監視システムのブロック図である。
【符号の説明】
１１〜１ｎ  端末装置
２  ＩＳＤＮ網
３１〜３ｎ  回線接続装置
４  通信制御装置
４１〜４１ｎ  多重化手段
４２  タイマ
４３  カウンタ
４４  記憶部
４５  通信制御部
５  監視装置
５１  制御部
５２  記憶部
６  報知装置
【図１】
0003574028.tif 000002
【図２】
0003574028.tif 000003
【図３】
0003574028.tif 000004
【図４】
0003574028.tif 000005